(57)【要約】【課題】１つの表示部に複数のコンピュータ端末からの画像情報を表示し、共通の操作部を操作して複数コンピュータ端末を制御する画像表示装置を提供する。【解決手段】複数のコンピュータ端末からの画像を表示する単一の表示部と、複数のコンピュータ端末のうち第１のコンピュータ端末に設けられ、表示部にカーソルを表示するとともに操作情報を発生する操作部と、複数のコンピュータ端末からの画像情報を入力して表示部に選択的に表示するとともに、表示された画面のうちカーソルが位置する画面を判別して制御すべきコンピュータ端末を指定し、指定したコンピュータ端末を操作部によって操作可能にした画面構成ユニットとを具備し、画面構成ユニットからの選択された画像情報を表示部に多画面表示可能にする。【選択図】図２
2011059440.tif 000002
【特許請求の範囲】
【請求項１】
複数のコンピュータ端末からの画像を表示する単一の表示部と、
前記複数のコンピュータ端末のうち第１のコンピュータ端末に設けられ、前記表示部にカーソルを表示するとともに操作情報を発生する操作部と、
前記複数のコンピュータ端末からの画像情報を入力して前記表示部に選択的に表示するとともに、表示された画面のうち前記カーソルが位置する画面を判別して制御すべきコンピュータ端末を指定し前記指定したコンピュータ端末を前記操作部によって操作可能にした画面構成ユニットと、を具備し、
前記画面構成ユニットからの前記選択された画像情報を前記表示部に多画面表示可能にしたことを特徴とする画像表示装置。
【請求項２】
前記画面構成ユニットは、
前記操作部からの操作情報を入力する入力部と、
前記操作部の操作によって前記カーソルが移動したときに前記カーソルの座標位置を判別して前記表示部に表示された画面を指定し、指定した画面に対応するコンピュータ端末を選択する入力制御部と、
前記複数のコンピュータ端末からの画像情報を入力するとともに、前記入力制御部によって選択したコンピュータ端末に対して前記操作部からの操作情報を供給するインターフェースと、
前記インターフェースを介して入力された前記複数のコンピュータ端末からの画像情報を選択して前記表示部に多画面表示する合成処理部と、を含むことを特徴とする請求項１記載の画像表示装置。
【請求項３】
前記画面構成ユニットは、前記表示部に前記第１のコンピュータ端末からの画像情報を親画面として表示し、他の少なくとも１つのコンピュータ端末からの画像情報を子画面として表示することを請求項１記載の画像表示装置。
【請求項４】
前記複数のコンピュータ端末は医療システムにおいて利用するコンピュータ端末であって、前記第１のコンピュータ端末は、被検体の撮影の進行に合わせて各種の入力画面を表示するコンピュータ端末であり、
他のコンピュータ端末は、医用画像診断装置で撮影した画像を表示する複数のコンピュータ端末を含むことを特徴とする請求項１記載の画像表示装置。
【請求項５】
前記画面構成ユニットは、前記表示部に前記複数のコンピュータ端末からの画像情報を選択して親画面及び子画面を表示し、前記被検体の撮影の進行に合わせて前記親画面及び子画面に表示される画像を遷移させることを特徴とする請求項４記載の画像表示装置。
【請求項６】
複数のコンピュータ端末からの画像を表示する単一の表示部を備え、
前記複数のコンピュータ端末のうち第１のコンピュータ端末に操作部を設けて、前記表示部にカーソルを表示するとともに操作情報を発生し、
前記複数のコンピュータ端末からの画像情報を画面構成ユニットに入力して前記表示部に選択的に表示し、
前記表示された画面のうち前記カーソルが位置する画面を前記画面構成ユニットによって判別して制御すべきコンピュータ端末を指定し、前記指定したコンピュータ端末を前記操作部によって操作可能にしたことを特徴とする画像表示方法。
【請求項７】
前記画面構成ユニットは、
前記操作部の操作によって前記カーソルが移動したときに前記カーソルの座標位置を判別して前記表示部に表示された画面を指定し、前記指定した画面に対応するコンピュータ端末を選択し、
前記選択したコンピュータ端末に対して前記操作部からの操作情報を供給して制御し、
前記制御されたコンピュータ端末を含む複数のコンピュータ端末からの画像情報を選択して前記表示部に多画面表示することを特徴とする請求項６記載の画像表示方法。
【請求項８】
前記画面構成ユニットは、前記表示部に前記第１のコンピュータ端末からの画像情報を親画面として表示し、他の少なくとも１つのコンピュータ端末からの画像情報を子画面として表示することを請求項６記載の画像表示方法。
【請求項９】
前記複数のコンピュータ端末は医療システムにおいて利用するコンピュータ端末であって、前記第１のコンピュータ端末は、被検体の撮影の進行に合わせて各種の入力画面を表示可能であり、他のコンピュータ端末は、医用画像診断装置で撮影した画像を表示可能であることを特徴とする請求項６記載の画像表示方法。
【請求項１０】
前記画面構成ユニットは、前記表示部に前記複数のコンピュータ端末からの画像情報を選択して親画面及び子画面を表示し、前記被検体の撮影の進行に合わせて前記親画面及び子画面に表示される画像を遷移させることを特徴とする請求項９記載の画像表示方法。
【発明の詳細な説明】
【技術分野】
【０００１】
本発明は医療システム等の画像表示装置において、複数のモダリティ毎に設けたコンピュータ端末や、検査予約用の端末、読影用のＷＳ（ワークステーション）端末等をそれぞれ共通の操作部によって操作するとともに、共通の表示部に各種の画像を多画面表示する画像表示装置及び画像表示方法に関する。
【背景技術】
【０００２】
従来、医療機関においては、Ｘ線ＣＴ装置、一般Ｘ線撮影装置、ＭＲＩ装置等の各種のモダリティを用いてコンピュータによる画像診断が行われており、被検体を撮影して取得した画像をコンピュータ端末の表示部に表示するようにしている。また患者の検査を行う場合は、別のコンピュータ端末を用いて患者登録やスキャン計画の策定、電子カルテ等の表示を行っている。またＷＳ端末では撮影した画像を表示部に表示して画像の解析を行っている。
【０００３】
一般に上記したようなコンピュータ端末は、液晶等の表示部と、各種の操作を行うキーボードやマウス等を含む操作部をそれぞれ有しており、これら複数のコンピュータ端末を同じ検査室等に配置して操作する場合は、複数の表示部と操作部が操作卓上に置かれるため、卓上が煩雑になり、操作も煩雑となるため改善が求められている。
【０００４】
特許文献１には、複数の入力機器（パーソナルコンピュータ）から入力された情報を同一の表示画面上に重ね合わせて表示することができる表示装置が開示されている。この特許文献１の例では、表示部を複数の入力機器で共通に使用できるが、各入力機器はそれぞれ表示部と操作部を有しているため、依然として煩雑さは解消されていない。
【先行技術文献】
【特許文献】
【０００５】
【特許文献１】特開平６−３３２４１４号公報
【発明の概要】
【発明が解決しようとする課題】
【０００６】
従来の画像表示装置では、各種のモダリティで撮影した画像データをそれぞれコンピュータ端末で処理して画像を表示し、またＷＳ端末等を用いて撮影した画像の解析を行っている。また別のコンピュータ端末を用いて患者登録やスキャン計画の策定等を行っている。このため複数のコンピュータ端末を同じ検査室等に配置した場合は、複数の表示部と操作部が操作卓上に置かれるため、卓上が煩雑になり、操作も煩雑となっていた。
【０００７】
本発明は上記事情に鑑みて成されたもので、１つの表示部に複数のコンピュータ端末からの画像情報を表示するとともに、共通の操作部を操作して複数コンピュータ端末を制御できるようにした画像表示装置及び画像表示方法を提供することを目的とする。
【課題を解決するための手段】
【０００８】
請求項１記載の本発明の画像表示装置は、複数のコンピュータ端末からの画像を表示する単一の表示部と、前記複数のコンピュータ端末のうち第１のコンピュータ端末に設けられ、前記表示部にカーソルを表示するとともに操作情報を発生する操作部と、前記複数のコンピュータ端末からの画像情報を入力して前記表示部に選択的に表示するとともに、表示された画面のうち前記カーソルが位置する画面を判別して制御すべきコンピュータ端末を指定し前記指定したコンピュータ端末を前記操作部によって操作可能にした画面構成ユニットと、を具備し、前記画面構成ユニットからの前記選択された画像情報を前記表示部に多画面表示可能にしたことを特徴とする。
【０００９】
請求項６記載の本発明の画像表示方法は、複数のコンピュータ端末からの画像を表示する単一の表示部を備え、前記複数のコンピュータ端末のうち第１のコンピュータ端末に操作部を設けて、前記表示部にカーソルを表示するとともに操作情報を発生し、前記複数のコンピュータ端末からの画像情報を画面構成ユニットに入力して前記表示部に選択的に表示し、前記表示された画面のうち前記カーソルが位置する画面を前記画面構成ユニットによって判別して制御すべきコンピュータ端末を指定し、前記指定したコンピュータ端末を前記操作部によって操作可能にしたことを特徴とする。
【発明の効果】
【００１０】
本発明によれば、複数のＰＣに対して１つの表示部を共通に利用して多画面表示することができる。また表示画面に表示されたカーソル位置に応じて制御するＰＣを選択することができるため操作部も共通に使用することができ、操作性を改善することができる。
【図面の簡単な説明】
【００１１】
【図１】本発明の画像表示装置の一実施形態を示す構成図。
【図２】一実施形態における画面構成ユニットの構成を示すブロック図。
【図３】本発明の動作を説明する画像処理やスキャン計画のフローチャート。
【図４】本発明の動作を説明する表示画面の一例を示す一覧図。
【図５】患者エントリー時の画面の表示例を示す説明図。
【図６】撮影部位・プラン作成時の画面の表示例を示す説明図。
【図７】撮影部位・プラン作成時の他の表示例を示す説明図。
【図８】撮影時の画面の表示例を示す説明図。
【図９】撮影後処理時の画面の表示例を示す説明図。
【図１０】多画面表示の他の表示例を示す説明図。
【発明を実施するための形態】
【００１２】
以下、この発明の一実施の形態について図面を参照して詳細に説明する。
【実施例１】
【００１３】
図１は、本発明の画像表示装置の一実施形態を示す構成図である。図１の画像表示装置は、単一の比較的大型（例えば３２インチ以上）の表示部１０と、画面構成ユニット２０と、第１のコンピュータ端末３０と、複数のコンピュータ端末４１，４２…で構成される。
【００１４】
第１のコンピュータ端末３０は、パーソナルコンピュータ（Personal Computer）であり、ＰＣ本体３１と操作部３２とから成り、操作部３２はキーボート３３やマウス３４を含む。ＰＣ本体３１（以下、ＰＣ３１という）は、制御部、記憶部、演算処理部等を含む情報処理部を構成する。また複数のコンピュータ端末４１，４２…もパーソナルコンピュータ（ＰＣ）であり、制御部、記憶部、演算処理部等から成る情報処理部を有している。
【００１５】
表示部１０は、親画面と子画面でなる複数の画面を多画面表示することができ、第１のコンピュータ端末３０は、操作部３２の操作に基づいてＰＣ３１で処理した画像を画面構成ユニット２０に供給し、表示部１０の親画面にＰＣ３１で処理した画像を表示する。以下、第１のコンピュータ端末３０を親ＰＣ３０と呼ぶ。
【００１６】
また複数のコンピュータ端末４１，４２…は、操作部３２の操作によって各種の情報処理を実行し、処理結果である画像データを画面構成ユニット２０に供給する。以下、コンピュータ端末４１，４２…を子ＰＣ４１，４２…と呼ぶ。
【００１７】
親ＰＣ３０及び子ＰＣ４１，４２…は機能別に設けられ、例えば親ＰＣ３０は患者登録やスキャン計画に用いるＰＣである。また子ＰＣ４１、４２…は、電子カルテを作成するＰＣや、ＰＡＣＳ（Picture Archiving and Communication System）用のＰＣ、或いは画像を解析するＷＳ（Work Station）用のＰＣである。また子ＰＣ４１、４２…としては、Ｘ線ＣＴ装置、ＭＲＩ装置、Ｘ線診断装置等の医用画像診断装置（モダリティ）で撮影した画像をそれぞれ処理するＰＣであってもよい。複数のＰＣの内、どれを親ＰＣとし、どれを子ＰＣとするかは利用者が任意に設定するこができるが、多機能のＰＣを親ＰＣ３０とするのがよい。
【００１８】
また表示部１０に複数の画面１１、１２，１３を表示したとき、画面上にはマウス３４によって操作されるカーソル１４が表示される。カーソル１４は、親ＰＣ３０や子ＰＣ４１，４２…を選択するものであり、例えば子ＰＣ４１で処理した画像情報を子画面１２に表示し、子ＰＣ４２で処理した画像情報を子画面１３に表示した状態で、カーソル１４を子画面１２の表示領域内に移動させると、操作部３２によって子ＰＣ４１を制御することができる。またカーソル１４を子画面１３の表示領域内に移動させると、操作部３２によって子ＰＣ４２を制御することができる。したがって子ＰＣ４１，子ＰＣ４２にて処理した画像を表示部１０に表示することができる。またカーソル１４を親画面１１の表示領域内に戻すと、操作部３２によって親ＰＣ３０を制御することができる。
【００１９】
表示部１０には親ＰＣ３０によって操作可能な各種の選択ボタン１５が表示されており、選択ボタン１５を操作することで画面の表示状態を切り替えることができる。例えば多画面表示モードと単画面表示モードの切り替えや、どの画面を親画面とするか子画面とする等を任意に設定することができる。
【００２０】
例えば、図１では親画面１１の中に２つの子画面１２，１３を表示する例を示しているが、表示部１０に同じ大きさの画面を２つ並べて表示したとき、左の画面を親画面とし、右の画面を子画面とすることもできる。或いは２画面表示に限らず、画面を４つに分割して４画面表示とし、いずれか１つを親画面とし、他の３画面を子画面としてもよい。
【００２１】
また、複数の子ＰＣ４１，４２…の内、どの子ＰＣからの画像を子画面に表示するかは、操作部３２の操作によって選択することができる。例えば親画面１１に選択ボタン１５を表示し、いずれかのボタン１５を選択して子ＰＣを選択するようにすると良い。また操作部３２の操作によって表示部１０に表示する初期画面を設定することもできる。さらに、検査を実行する上で必要とされる緊急停止ボタン等を親画面１１に表示し、緊急時に対応できるようにすると良い。
【００２２】
画面構成ユニット２０は、カーソル１４の座標位置を判別して操作部３２からの操作情報（コマンド情報等）をＰＣ３１又は子ＰＣ４１，４２に送り、ＰＣ３１及び子ＰＣ４１，４２…を制御し、ＰＣ３１及び子ＰＣ４１，４２…からの画像情報を選択して表示部１０に表示する機能を有する。
【００２３】
図２は、画面構成ユニット２０の構成を示すブロック図である。画面構成ユニット２０は、入力部２１、入力制御部２２、インターフェース２３、映像入力部２４、映像制御部２５、合成処理部２６及び映像出力部２７を含む。
【００２４】
入力部２１は、操作部３２からの操作情報を入力するものである。入力制御部２１は、マウス３３の操作によってカーソル１４が移動したときに、カーソル１４の座標位置を判別して親画面又は子画面のどの位置にカーソル１４があるかを判断して、制御すべきＰＣ３１及びＰＣ４１，ＰＣ４２…を指定し、指定したＰＣに操作情報を送信して操作可能にする。インターフェース２３は、ＰＣ３１，ＰＣ４１，ＰＣ４２…からの画像情報を映像入力部２４に入力するとともに、入力制御部２２によって指定したＰＣ３１，ＰＣ４１，ＰＣ４２…に対して操作部３０からの操作情報を供給する。
【００２５】
映像入力部２４は、操作部３２の操作に応答してＰＣ３１，ＰＣ４１，ＰＣ４２…から入力された画像情報を取り込む。映像制御部２５は、映像入力部２４から出力された画像情報のサイズや位置を操作部３２の操作によって制御するとともに、表示画像を選択して出力する。合成処理部２６は、子画面の画像を親画面に重畳して表示するための合成処理を行う。なお、親画面のみを表示する場合は単画面表示を行うように処理する。映像出力部２７は、合成処理部２６からの画像を表示部１０に出力する。
【００２６】
例えば、表示部１０に図１のようにＰＣ４１，ＰＣ４２に対応した子画面が２つ表示されている状態で、マウス３４が操作されると、入力制御部２２は、カーソル１４が移動した位置（座標）を判別する。カーソル１４が子ＰＣ４１に対応する子画面１２の位置にあると判断すると、操作部３２からの操作情報がインターフェース２３を介して子ＰＣ４１に送られ、子ＰＣ４１を操作することができる。したがって子ＰＣ４１で処理した画像情報がインターフェース２３を介して映像入力部２４に供給されるため、子画面１２の表示内容を制御することができる。
【００２７】
次に図１，図２の動作を図３、図４を参照して説明する。例えばＸ線ＣＴ装置やＭＲＩ装置等のモダリティを用いて患者を検査・診断する場合は、図３で示すようなフローチャートに従って画像処理やスキャンが実行される。
【００２８】
スキャンする場合、図３のステップＳ１では患者登録を行い、患者ＩＤ、氏名、性別、年齢などを入力する。ステップＳ２では患者をセッティングして撮影の準備に入る。ステップＳ３では、撮影位置（撮影部位）を決め、エキスパートプランを選択して、スキャノ像（スキャン計画をたてるための画像）を撮影する。またスキャン計画でＸ線の照射時間や照射条件等を決定した後、スキャンを実行する。また必要に応じて追加のスキャンを行う。そしてスキャンによって収集した画像データは、ステップＳ４で画像処理される。
【００２９】
本発明の画像表示装置では、図３のフローチャートで示すようなスキャンや画像処理を行う場合に、親画面と子画面の表示を切り替えることで診断に適した画像表示を行うことができる。
【００３０】
図４は、各検査フェーズにおける表示画面の一例を示したもので、例えば、患者エントリー、撮影部位・プラン作成、撮影、撮影後の処理といった４つの検査フェーズに従って診断するものとする。また親画面を表示するための親ＰＣ３０は、患者登録画面、スキャン計画画面、スキャン操作画面等の入力画面の表示機能を有するものとし、子ＰＣとして電子カルテを作成するＰＣ４１、ＰＡＣＳ用のＰＣ４２、インジェクタ用のＰＣ４３、ＷＳ用のＰＣ４４が画面構成ユニット２０に接続されているものとすると、以下のような表示が行われる。
【００３１】
１．患者エントリーのフェーズでは、患者登録画面を親画面に表示し、電子カルテの画面を子画面に表示する。例えば、このフェーズの画面を初期画面として表示する。このとき、親ＰＣ３０は患者登録用の画面を表示し、子ＰＣとして電子カルテを作成するＰＣ４１が選択される。  
２．撮影部位・プランのフェーズでは、スキャン計画画面を親画面に表示し、電子カルテ画面とＰＡＣＳ画面を子画面に表示する。このとき、親ＰＣ３０はスキャン計画画面を表示し、子ＰＣとして電子カルテを作成するＰＣ４１、又はＰＡＣＳ用のＰＣ４２が選択される。  
３．撮影のフェーズでは、スキャン操作画面を親画面に表示し、インジェクタ画面を子画面に表示する。このとき、親ＰＣ３０はスキャン操作画面を表示し、子ＰＣとしてインジェクタ画面を生成するＰＣ４３が選択される。尚、インジェクタ画面は造影剤の注入操作に用いられるものである。  
４．撮影後処理のフェーズでは、電子カルテ画面を一方の子画面に表示し、ＰＡＣＳ画面及び解析ＷＳ画面を他方の子画面に表示する。このとき、子ＰＣとして電子カルテを作成するＰＣ４１、又はＰＡＣＳ用のＰＣ４２、ＷＳ用ＰＣ４４が選択される。
【００３２】
図５〜図９は、各フェーズ１〜４における表示部１０での表示例を示したものである。図５はフェーズ１（患者エントリー）の表示画面であり、親画面として患者登録画面５１が表示され、子画面として電子カルテ画面５２が表示される。ここでは、患者登録画面５１に患者の氏名や患者ＩＤ等を入力するが、子画面の電子カルテ５２を確認しながら入力することができる。
【００３３】
図６はフェーズ２（撮影部位・プラン作成）の表示画面であり、親画面としてスキャン計画画面５３が表示され、子画面として電子カルテ画面５４（又はＰＡＣＳ画面５５）が表示される。子画面は、カーソル１４によってタブ６１，６２を選択することで電子カルテ画面５４又はＰＡＣＳ画面５５を選択することができる。図６は、タブ６１を選択して子画面に電子カルテ画面５４を表示した例を示している。図７は、タブ６２を選択して子画面にＰＡＣＳ画面５５を表示した例を示している。
【００３４】
ここでは、電子カルテ画面５４にて撮影部位を確認しながらスキャン計画を入力することができる。またその際にＰＡＣＳの過去の画像５５を参照することもできる。電子カルテ画面５４とＰＡＣＳの画面５５は交互に切り替えることができる。
【００３５】
図８はフェーズ３（撮影）の表示画面であり、親画面としてスキャン操作画面５６が表示され、子画面としてインジェクタ画面５７が表示される。ここでは、スキャン操作画面５６を操作しつつ、インジェクタ画面５７を利用して造影剤の操作を行うことができる。
【００３６】
図９はフェーズ４（撮影後処理）の表示画面であり、２つの子画面を表示し、一方の子画面として電子カルテ画面５２が表示され、他方の子画面としてＷＳ画面５８とＰＡＣＳ画面（図示略）が表示される。他方の子画面は、タブ６３，６４を選択することでＷＳ画面５８又はＰＡＣＳ画面を選択することができる。ここでは、診断結果を電子カルテ画面５２に入力する際に、ＷＳ画面５８にて解析した画像や、ＰＡＣＳ画面にて撮影画像を確認しながら入力することができる。
【００３７】
このように本発明では、被検体の撮影の進行に合わせて各種の入力画面を親画面に表示し、子画面には撮影した画像（ＰＡＣＳの画像やＷＳの画像等）を表示することができる。したがって被検体の検査に合わせて親画面と子画面の画像を遷移させることができ、医用診断に適した画像を表示することができる。
【００３８】
また図５〜図９において、表示画面にはカーソル１４が表示され、マウス３４によって親画面又は子画面の領域にカーソル１４を移動することができ、移動した先の画面に対応するＰＣ３０，ＰＣ４１，ＰＣ４２…を選択して操作部３２で操作することが可能となる。したがって、操作部３２と表示部１０をそれぞれのＰＣに共通に使用することができる。
【００３９】
また図６、図９では複数の子画面を表示する場合にタブによって選択して表示するようにしたが、図１０で示すように子画面を小さくすることにより複数の子画面を同時に表示するようにしてもよい。また図９の子画面としてはＸ線ＣＴ装置やＭＲＩ装置等の各種のモダリティ用ＰＣから送られた画像を表示することもできる。
【００４０】
以上述べたように本発明によれば、複数のＰＣに対して１つの表示部を共通に利用して多画面表示することができる。またカーソル位置に応じて操作するＰＣを選択できるため操作部も共通に使用することができ、操作性を改善することができる。また画面の配置を自由に設定することができる。また、１個の表示部（ディスブレイ）を用いるため、画面毎の輝度の統一を図ることができる。さらに１画面を複数ＰＣで作成するため、画面作成に高性能なＰＣを必要としないため、システム構築上の役割分担が容易にできる。
【００４１】
尚、本発明の実施形態は、以上述べた実施例に限定されるものではない。例えば、画面構成ユニットに接続される親ＰＣや子ＰＣは実施例で示したＰＣに限られるものではない。また１画面に表示する子画面の数やサイズも任意に設定することができる。また特許請求の範囲を逸脱しない範囲内で種々の変形が可能である。
【符号の説明】
【００４２】
１０…表示部
１１，１２，１３…親画面、子画面
１４…カーソル
２０…画面構成ユニット
２１…入力部
２２…入力制御部
２３…インターフェース
２４…映像入力部
２５…映像制御部
２６…合成処理部
２７…映像処理部
３０…親ＰＣ
３１…ＰＣ本体
３２…操作部
３３…キーボード
３４…マウス
４１，４２…子ＰＣ
【図１】
2011059440.tif 000003
【図２】
2011059440.tif 000004
【図３】
2011059440.tif 000005
【図４】
2011059440.tif 000006
【図５】
2011059440.tif 000007
【図８】
2011059440.tif 000008
【図９】
2011059440.tif 000009
【図１０】
2011059440.tif 000010
【図６】
2011059440.tif 000011
【図７】
2011059440.tif 000012